(57)【要約】  少なくとも１つのユーザー選好チャンネルとユーザー選好コンテンツ記述とを有する予めプログラムされたユーザー指定基準に基づき視聴覚情報の記録をスケジューリングする新たな方法及びシステムが提供される。好適な実施例では、デジタルテレビ放送（ＤＶＢ）規格に適用可能であり、デジタルテレビ放送（ＤＶＢ）仕様に整合した放送ストリームは、複数のプログラム分類及びサブ分類を定める。複数のプログラム分類及びサブ分類から、ユーザーは選好カテゴリー／サブカテゴリーを選択する。ＤＶＢ放送ストリームに適合した放送されたイベントは、ユーザー選好カテゴリー／サブカテゴリーに基づき自動的に記録される。
2008523692.tif 000002
【特許請求の範囲】
【請求項１】
方法であって、通信媒体を介し放送ストリームの一部として受信された視聴覚情報を自動的に記録し、前記放送ストリームは複数のサービスを有し、各サービスは複数のイベント及び前記複数のイベントを記述するサービス情報を更に有し、前記方法は：
（ａ）少なくとも１つのユーザー選好サービス及び関連したユーザー選好サービス情報を有するユーザー選好基準を生成する動作；
（ｂ）前記少なくとも１つのユーザー選好サービスで放送されるべき複数のイベントのために前記放送ストリームからサービス情報を抽出する動作；
（ｃ）前記抽出したサービス情報を前記ユーザー選好サービス情報と比較し一致があるかどうかを決定する動作；及び
（ｄ）一致の場合、前記放送ストリームから一致するイベントの記録をスケジューリングする動作、を有する方法。
【請求項２】
前記生成されたユーザー選好基準をデータ保存庫に格納しそして後に前記ユーザー選考基準を前記比較動作で検索する動作、を更に有する請求項１記載の方法。
【請求項３】
前記放送ストリームは、アンテナからの放送ＴＶ信号、ケーブルＴＶ接続、衛星、ウェブＴＶ信号、デジタルビデオディレイ及び再生装置の１つを有する複数の視聴覚信号源から供給され得る、請求項１記載の方法。
【請求項４】
前記サービス情報を放送ストリームから抽出する動作は、電子情報表（ＥＩＴ）の、少なくとも１つのユーザー選好サービスと関連した表データを抽出する動作を更に有する、請求項１記載の方法。
【請求項５】
前記ＥＩＴ表データは、少なくとも１つの選好サービスで将来の時間に放送されるべき複数のイベント毎に、少なくとも１つの分類種類及び分類サブ種類を記述するコンテンツ記述子を有する、請求項４記載の方法。
【請求項６】
前記比較する動作は、前記複数のイベント毎に前記放送ストリームから抽出されたコンテンツ記述子を、前記関連したユーザー選好サービス情報と比較する動作を有する、請求項５記載の方法。
【請求項７】
ＤＶＢ規格に従い、前記分類種類はContent_nibble_level_1フィールドとして符号化され、及び前記分類サブ種類は、Content_nibble_level_2フィールドとして符号化される、請求項５記載の方法。
【請求項８】
前記分類種類は、音楽、芸術、社会、教育、余暇、映画、ニュース、ショー、スポーツ、子供向け、及び特殊の特徴を有する、請求項５記載の方法。
【請求項９】
前記複合トランスポートストリームは、デジタルテレビ放送（ＤＶＢ）仕様に整合したストリームであり、前記サービス情報は、ＤＶＢサービス情報の電子情報表（ＥＩＴ）を構成する、請求項１記載の方法。
【請求項１０】
方法であって、通信媒体を介し複合トランスポートストリームの一部として受信された視聴覚情報の記録を自動的にスケジューリングし、前記複合トランスポートストリームは複数のチャンネルを有し、各チャンネルは複数のイベント及び前記複数のイベントを記述するコンテンツ記述情報を更に有し、前記方法は：
（ａ）前記複合トランスポートストリームを前記通信媒体で受信する前に、少なくとも１つのユーザー選好チャンネル及び関連したユーザー選好コンテンツ記述情報を有するユーザー選好基準を予め格納する動作；
（ｂ）前記少なくとも１つのユーザー選好チャンネルで放送されるべき複数のイベントのために前記複合トランスポートストリームからコンテンツ記述情報を抽出する動作；
（ｃ）前記抽出したコンテンツ記述情報を前記ユーザー選好基準と比較する動作；及び
（ｄ）動作（ｃ）で一致が生じる場合、前記少なくとも１つのユーザー選好チャンネルの少なくとも１つの放送イベントの記録をスケジューリングする動作、を有する方法。
【請求項１１】
前記複合トランスポートストリームは、アンテナからの放送ＴＶ信号、ケーブルＴＶ接続、衛星、ウェブＴＶ信号、デジタルビデオディレイ及び再生装置の１つを有する複数の視聴覚信号源から供給され得る、請求項１０記載の方法。
【請求項１２】
システムであって、通信媒体を介し複合トランスポートストリームの一部として受信された視聴覚情報の記録をスケジューリングし、前記複合トランスポートストリームは複数のチャンネルを有し、各チャンネルは複数のイベント及び前記複数のイベントを記述するコンテンツ記述情報を更に有し、前記システムは：
受信機を有し：前記受信機は：
（ｉ）プロセッサーであって、
（ａ）少なくとも１つのユーザー選好サービス及び関連したユーザー選好サービス情報を有するユーザー選好基準を格納し；
（ｂ）前記少なくとも１つのユーザー選好サービスで放送されるべき複数のイベントのサービス情報を抽出し；
（ｃ）前記抽出したサービス情報を前記少なくとも１つのユーザー選好サービスと関連した前記ユーザー選好サービス情報と比較する；よう構成されたプロセッサー：
（ｉｉ）前記比較の結果が一致であった場合、前記少なくとも１つのユーザー選好サービスで放送されるべき前記複数のイベントの１つの記録をスケジューリングするスケジューラーモジュール、を有する、システム。
【請求項１３】
前記ユーザー選考基準を格納する少なくとも１つのデータ保存庫を更に有する、請求項１２記載のシステム。
【請求項１４】
前記データ保存庫は、不揮発性メモリー及び読み出し専用メモリーの１つである、請求項１３記載のシステム。
【請求項１５】
ＲＦ信号を受信する第１のチューナー及び第２のチューナーを更に有する、請求項１２記載のシステム。
【請求項１６】
前記ＲＦ信号を復調する第１及び第２の復調器、及び前記プロセッサーの制御下で前記復調された信号をデジタルパケットストリームへ変換する第１及び第２のデマルチプレクサーを更に有する、請求項１５記載のシステム。
【請求項１７】
前記比較の結果が一致である場合、前記少なくとも１つのユーザー選好サービスで放送されるべき前記複数のイベントの１つを記録するデジタルビデオ記録装置、を更に有する請求項１６記載のシステム。
【請求項１８】
システムであって、通信媒体を介し複合トランスポートストリームの一部として受信された視聴覚情報の記録をスケジューリングし、前記複合トランスポートストリームは複数のチャンネルを有し、各チャンネルは複数のイベント及び前記複数のイベントを記述するコンテンツ記述情報を更に有し、前記システムは：
少なくとも１つのユーザー選好サービス及び関連したユーザー選好サービス情報を有するユーザー選好基準を生成する手段；
前記少なくとも１つのユーザー選好サービスで放送されるべき複数のイベントのために前記放送ストリームからサービス情報を抽出する手段；
前記抽出したサービス情報を前記ユーザー選好サービス情報と比較し一致があるかどうかを決定する手段；及び
一致の場合、前記放送ストリームから一致するイベントの記録をスケジューリングする手段、を有するシステム。
【請求項１９】
前記ユーザー選考基準を格納する手段を更に有する、請求項１８記載のシステム。
【請求項２０】
前記ユーザー選好基準データ保存庫を格納する手段は、不揮発性メモリー及び読み出し専用メモリーの１つである、請求項１７記載のシステム。
【請求項２１】
製品であって、通信媒体を介し複合トランスポートストリームの一部として受信された視聴覚情報の記録をスケジューリングし、前記複合トランスポートストリームは複数のチャンネルを有し、各チャンネルは複数のイベント及び前記複数のイベントを記述するコンテンツ記述情報を更に有し、前記製品は前記製品に実施されたコンピューター可読コード手段を有し、前記コンピューター可読コード手段は：
少なくとも１つのユーザー選好サービス及び関連したユーザー選好サービス情報を有するユーザー選好基準を生成する動作；
前記少なくとも１つのユーザー選好サービスで放送されるべき複数のイベントのために前記放送ストリームからサービス情報を抽出する動作；
前記抽出したサービス情報を前記ユーザー選好サービス情報と比較し一致があるかどうかを決定する動作；及び
一致の場合、前記放送ストリームから一致するイベントの記録をスケジューリングする動作、を有する、製品。
【発明の詳細な説明】
【技術分野】
【０００１】
本発明は、一般に視聴覚情報の記録の分野に関する。より詳細には、本発明は、１つ以上のユーザー選好サービス（チャンネル）及び関連したユーザー選好サービスイベントカテゴリー／サブカテゴリーを有するユーザー指定基準に基づき視聴覚情報の記録をスケジュールする方法及びシステムに関する。
【背景技術】
【０００２】
多数のツールは、テレビジョン番組を推薦するために提案又は提言されてきた。ＴｉＶｏ（商標）システムは、例えば、カリフォルニア州サニーベールのティーボ社（ＴｉＶｏ，Ｉｎｃ．）から市販され入手可能であり、視聴者に「賛成反対（Ｔｈｕｍｂｓ  Ｕｐ  ａｎｄ  Ｔｈｕｍｂｓ  Ｄｏｗｎ）」機能を用いショーを評価させ、それにより視聴者がそれぞれ好む及び好まない番組を示すことを可能にする。「賛成／反対」機能に基づき、その後、ＴｉＶｏ受信機は、記録された視聴者の選好をＥＰＧのような受信番組データと一致させ、各視聴者に合わせたお薦めを作成する。このようなお薦めは、従来良く知られている。視聴者はまた、映画又は番組基準の「希望リスト」を明示的に設けて良い。例えば、「キッチン改造」のような語を入力することにより、ＴｉＶｏはサーチエンジンのように動作し、番組、特徴、又は夢のようなキッチンの作成に関係している全ての如何なる物も発見する。
【０００３】
ＴｉＶｏのような現在入手可能なシステムと対照的に、本発明は、視聴者の好き嫌いに基づき又は所謂「希望リスト」を作成することによりユーザープロファイルを設定する必要を有さず、視聴者に、正確なユーザー指定基準に基づき視聴覚情報の自動記録をスケジュールすることを可能にする。
【非特許文献１】ディー・ブイ・ビー・エス・アイ・スペシフィケーションズ（「Ｄｉｇｉｔａｌ  Ｖｉｄｅｏ  Ｂｒｏａｄｃａｓｔ−  ｓｐｅｃｉｆｉｃａｔｉｏｎ  ｆｏｒ  Ｓｅｒｖｉｃｅ  Ｉｎｆｏｒｍａｔｉｏｎ」）、エー・エヌ３００  ４６８  Ｖ１．５．１（ＥＮ  ３００  ４６８  Ｖ１．５．１）、イー・ティー・エス・アイ（ＥＴＳＩ）
【発明の開示】
【発明が解決しようとする課題】
【０００４】
一般に、ユーザー選好基準に基づき視聴覚情報を自動的に記録する新しい方法及びシステムが提供される。
【課題を解決するための手段】
【０００５】
デジタルテレビ放送（ＤＶＢ）規格に適用可能な実施例では、ユーザー選好基準は、１つ以上のユーザー選好サービス（チャンネル）及びユーザー選好カテゴリー及び１つ以上のユーザー選好サービスでの放送のスケジュールされたイベントを選択する任意のサブカテゴリー記述子を有する。
【０００６】
本発明の態様によると、通信媒体を介し放送ストリームの一部として受信された視聴覚情報を自動的に記録する方法であって、前記放送ストリームは複数のサービスを有し、各サービスは複数のイベント及び前記複数のイベントを記述するサービス情報を更に有し、前記方法は、一般に：（ａ）少なくとも１つのユーザー選好サービス及び関連したユーザー選好サービス情報（ＳＩ）を有するユーザー選好基準を生成する動作；（ｂ）前記少なくとも１つのユーザー選好サービスで放送されるべき複数のイベントのために前記放送ストリームからサービス情報を抽出する動作；（ｃ）前記抽出したサービス情報（ＳＩ）を前記ユーザー選好サービス情報（ＳＩ）と比較し一致するかどうかを決定する動作；及び（ｄ）一致した場合、前記放送ストリームから一致するイベントの記録をスケジューリングする動作、を有する。
【０００７】
本発明の別の態様によると、通信媒体を介し複合トランスポートストリームの一部として受信された視聴覚情報の記録をスケジューリングするシステムであって、前記複合トランスポートストリームは複数のチャンネルを有し、各チャンネルは複数のイベント及び前記複数のイベントを記述するコンテンツ記述情報を更に有し、前記システムは受信機を有し、前記受信機は：（ａ）少なくとも１つのユーザー選好サービス及び関連したユーザー選好サービス情報（ＳＩ）を有するユーザー選好基準を格納し；（ｂ）前記少なくとも１つのユーザー選好サービスで放送されるべき複数のイベントのサービス情報を抽出し；（ｃ）前記抽出したサービス情報（ＳＩ）を前記少なくとも１つのユーザー選好サービスと関連した前記ユーザー選好サービス情報（ＳＩ）と比較するよう構成された（ｉ）プロセッサー；（ｉｉ）前記比較の結果が一致であった場合、前記少なくとも１つのユーザー選好サービスで放送されるべき前記複数のイベントの１つの記録をスケジューリングするスケジュールモジュール、を有する。
【０００８】
本発明の更に別の態様によると、本発明は製品に関連する。前記製品は、ある実施例によると、前記製品に実施されたコンピューター可読プログラム手段を有する。前記プログラム手段は、通信媒体を介し放送ストリームの一部として受信された視聴覚情報を自動的に記録し、前記放送ストリームは複数のサービスを有し、各サービスは複数のイベント及び前記複数のイベントを記述するサービス情報を更に有し、前記コンピューター可読プログラム手段は、一般に：（ａ）少なくとも１つのユーザー選好サービス及び関連したユーザー選好サービス情報（ＳＩ）を有するユーザー選好基準を生成する動作；（ｂ）前記少なくとも１つのユーザー選好サービスで放送されるべき複数のイベントのために前記放送ストリームからサービス情報を抽出する動作；（ｃ）前記抽出したサービス情報（ＳＩ）を前記ユーザー選好サービス情報（ＳＩ）と比較し一致するかどうかを決定する動作；及び（ｄ）一致した場合、前記放送ストリームからの一致するイベントの記録をスケジューリングする動作、を有する。
【０００９】
前述の本発明の特徴は、添付の図面と関連した以下の本発明の説明的な実施例の詳細な記載を参照することにより更に直ちに明らかになり理解されるだろう。
【発明を実施するための最良の形態】
【００１０】
以下の記載は、当業者に本発明を実施し及び使用することを可能にするために提示される。好適な実施例への種々の変更は、当業者に直ちに明らかである。また本願明細書に記載される開示は、本発明及び添付の請求項の精神と範囲から逸脱することなく他の実施例及び用途にも適用され得る。従って、本発明は、記載された実施例に限定されず、本願明細書に記載された開示と合致する最も広い範囲を与えられるべきである。
【００１１】
開示を目的として、「放送」は、ビデオコンテンツがテレビジョン及びケーブル放送及びまたペイパービュー、及びビデオオンデマンド放送によるなどで一般に入手可能になる場合を意味する。
【００１２】
欧州で最も広く用いられているビデオ及び音声伝送及び他の種類のデータのための規格は、デジタルテレビ放送（ＤＶＢ）システムである。本発明は、この非限定的な文脈で記載される。しかしながら、本発明はＤＶＢ規格以外の規格により一般的に適用可能であることが理解される。
【００１３】
ＤＶＢ規格によると、複合トランスポートストリームは、ＤＶＢストリームとして参照される。標準的なＤＶＢストリームは、多数のビデオ及び音声チャンネルを、当該ビデオ／音声チャンネルを参照する参照データと共に有する。参照データは、一般に、非特許文献１で定められたサービス情報（ＳＩ）として参照される。非特許文献１の全体は、参照されることにより本願明細書に組み込まれる。参照データは、例えば、字幕、文字多重放送、番組スケジュールに関する情報、有料ＴＶのために用いられる条件付きアクセスの情報、及びこれらの特徴の異なる部分を組み合わせ如何なる可能なサービスを提供する方法、を有し得る。参照データは、表及び放送網で伝送されるサービス（チャンネル）を記述する記述子の形式を取る。サービスは、指定された放送ストリームで放送されたイベントの連続である。
【００１４】
特にＤＶＢ−ＳＩ規格によると、参照データは、ＮＩＴ、ＳＤＴ、ＥＩＴ及び場合によりＢＡＴのような表で定められる。ＮＩＴ、ＳＤＴ、ＥＩＴ及び場合によりＢＡＴ表に含まれるデータを活用して、受信機は、ネットワークにより放送された視聴覚伝送の全般的なコンテンツを知る。ＮＩＴ表は、ネットワークの全体的構造を与え、及びトランスポートストリーム及び放送されたサービスのリストを示す。ＳＤＴ表は、サービス、例えば非暗号化サービス名称に関する追加情報を与える。ＢＡＴ表は、複数の放送網により出力され得るサービスの束に一緒に集められた複数のサービスに関する情報を有する。
【００１５】
ＤＶＢ−ＳＩ規格で定められたこれらの表の中で、ＥＩＴ表は、本発明の目的に特に重要である。ＥＩＴ表は、各サービスのイベントのリストを示し、及び特に現在放送されているイベントを示すことが可能である。より詳細には、ＥＩＴ表は、イベントのコンテンツを、イベント開始時間、持続時間、短いイベント記述子、拡張イベント記述子、コンテンツ記述子、等のような当該コンテンツのイベント記述子に基づき記述する。例えば、ＤＶＢ規格である非特許文献１は、ＥＩＴ表データに含まれる１１個のイベント（番組）分類を指定する。１１個のイベント分類は、（１）音楽、（２）芸術、（３）社会、（４）教育、（５）余暇、（６）映画、（７）ニュース、（８）ショー、（９）スポーツ、（１０）子供向き、（１１）特殊の特徴を有する。ＤＶＢ規格は、１１個のイベント分類を更に定める複数のイベントサブ分類を更に定める。ＤＶＢ規格は、表１に示されるようなContent_nibble_level_1フィールド及びContent_nibble_level_2フィールドを用い、イベント分類及びサブ分類情報が各イベントに符号化される方法を記述する。
［表１］
【００１６】
【表１】
2008523692.tif 000003
【００１７】
表１に示されるように、Content_nibble_level_1フィールドは、コンテンツ（イベント）識別の第１のレベルを表す４ビットフィールドである。Content_nibble_level_2フィールドは、コンテンツ（イベント）識別の第２のレベル、より細分のレベルを表す４ビットフィールドである。
【００１８】
図１は、ＤＶＢ規格である非特許文献１に指定された、１１個のイベントカテゴリー及び各カテゴリーに定められた対応するイベント分類及びサブ分類の説明である。示されるように、図１は、３個の列を有する。第１の列１０２は、上述のように「Content_nibble_level_1」フィールドと題される。当該フィールドは、１１個のイベント分類が符号化される方法を記述する。例えば、０ｘ３は分類「ショー」に対応する。Content_nibble_level_2フィールドと題された第２の列１０４は、コンテンツ分類の第２のレベル、より細分のレベルが符号化される方法を定める。例えば、イベント分類「音楽」ではContent_nibble_level_1符号化仕様は（０ｘ６）であり、第２の列１０４は対応するイベントサブ分類毎の符号化を説明する。つまり「音楽／バレー／ダンス」（０ｘ０）、「ロック／ポップ」（０ｘ１）、「クラシック音楽／古典音楽」（０ｘ２）等である。
【００１９】
図１の第３の列１０６は、実際の分類及びサブ分類をテキスト形式で列挙する。
【００２０】
図２は、本発明の方法を実行する実施例によるデジタルテレビジョン受信機１００のブロック図を示す。デジタル放送ストリームは、無線周波数（ＲＦ）信号に変調され、アンテナ１により、又は代案として例えばケーブルネットワーク（示されない）のような放送源から受信される。好適な実施例では、放送ストリームは、例えばデジタルテレビ放送（ＤＶＢ）規格に従いフォーマットされて良い。
【００２１】
２つのチューナー２、２２は、ＲＦ信号を受信し及び対応する復調器３、２３へ出力されるべき当該ＲＦ信号の１つを選択可能な標準的なアナログＲＦ受信装置を有する。復調器３、２３は、ＣＰＵ５から受信した制御信号に基づき、対応するアナログ信号をデジタルパケットストリームへ変換する。パケットストリームは次に、対応するデマルチプレクサー４、２４へ出力される。デマルチプレクサー４、２４は、ＣＰＵ５から受信した制御データに従い特定の番組に属するパケットを選択し、及びパケットストリームを基本ビデオ、音声又はデータストリームへ分解する。
【００２２】
好適な実施例では、１つのチューナー２は、従来のようにＴＶ番組を見るためのユーザーによる使用専用である。第２のチューナー２２は、放送ストリームをパースし、当該放送ストリームからサービス情報（ＤＶＢ−ＳＩデータ）を抽出するために用いられる。
【００２３】
ビデオプロセッサー８は、第１のデマルチプレクサー４から受信したビデオストリームを復号する。ビデオプロセッサー８は、ＭＰＥＧ−２復号器である。しかしながら、復号器がビデオデータを符号化するために用いられた符号化種類に適合している限り、如何なる復号器が用いられて良い。復号化されたビデオデータは、次にディスプレイ画面９へ送信される。音声プロセッサー６は、デマルチプレクサー４から受信した音声ストリームを復号化する。再び、復号器が音声データを符号化するために用いられた符号化種類に適合している限り、如何なる復号器が用いられて良い。復号化された音声データは、次にスピーカーシステム７へ送信される。
【００２４】
サービス情報（ＤＶＢ−ＳＩデータ）を放送ストリームからパースすることを実現するために、第２のデマルチプレクサー２４は、基本データストリームをデジタルビデオレコーダー１７へ出力する。デジタルビデオレコーダー１７は、ＣＰＵ５により制御され、そして番組及びＤＶＢ−ＳＩデータを格納及び再生可能である。これはテレビジョン受信機に組み込まれて良く、又はテレビジョン受信機の制御下の別個の装置であって良い。
【００２５】
基本データストリームは、２種類のデータを有する。つまり制御データとコンテンツデータである。コンテンツは、例えば双方向番組を参照する。制御データは、放送ストリームの構造、サービスが変調される（ＲＦ）周波数、並びに種々のコンテンツ要素及び放送ストリーム内の（他の）表が発見され得るアドレス、のような事項を指定する放送ストリーム内の表を参照する。デジタルテレビ放送（ＤＶＢ）規格に従う用途では、制御データは、上述のＮＩＴ、ＳＤＴ、ＥＩＴ及び場合によりＢＡＴ表のような表を有するＤＶＢ−ＳＩデータを参照する。ＥＩＴ表は、とりわけ、放送されたイベント毎に、上述のContent_nibble_level_1フィールド及びContent_nibble_level_2を有するコンテンツ（イベント）記述子を示す。
【００２６】
ＣＰＵ５は、読み取り専用メモリー（ＲＯＭ）１２に格納されたプログラム命令を実行可能な１つ以上のマイクロプロセッサーを有する。本願明細書で用いられるように、プロセッサーは、ハードウェア、ファームウェア、及び／又はソフトウェアの何れか１つ又は組み合わせを有する。プロセッサーは、実行可能手順又は情報装置による使用のための情報を操作、分析、変換又は送信することにより、及び／又は出力装置へ情報を転送することにより、情報に基づき動作する。
【００２７】
動作中、ＤＶＢ規格に従い、ユーザーは、サービスとともにてサービス情報（ＤＶＢ−ＳＩデータ）を有するユーザー選好基準を指定及び格納し、ＤＶＢ放送ストリームからの視聴覚情報の自動記録をスケジュールする。ユーザー選好基準は、一方向に、ユーザーの事前プログラムにより、不揮発性メモリー１１又は読み出し専用メモリー１２へ、望ましくはＧＵＩインターフェースを介し入力されて良い。ユーザー基準は、サービス情報とともにサービスを有する。上述のように、サービスは、１つ以上のユーザー選好サービス（チャンネル）を構成する。またサービス情報は、少なくとも１つのイベント分類及び望ましくはイベントサブ分類を有する。
【００２８】
表２は、例として、格納されたユーザー選好基準を図示する。
［表２］（ユーザー選好基準）
【００２９】
【表２】
2008523692.tif 000004
【００３０】
表２は、ユーザー選好サービスであるとユーザーにより考えられた６個のサービス（チャンネル）、つまりチャンネル２、５、７、２１、２９及び３０を選択し格納することをユーザーが決めたことを示す。示されるように、ユーザーは、ユーザー選好サービス毎に少なくとも１つのイベント分類を、及びある場合には２個のイベント分類（サービス２１、イベント分類「映画」及び「スポーツ」を参照）を選択し格納することを更に決めている。ユーザーは、指定された６個のイベント分類中４個に対しサブ分類を選択することを更に決めている。
【００３１】
留意すべき点は、ユーザーが指定して良いイベント分類種類／サブ種類の数に如何なる制約もないことである。サービスに対する唯一の制約は、利用可能にされるサービスの数である。
【００３２】
図３は、ＤＶＢ規格に従うユーザー選好基準（例えば表２）を作成するためにユーザーに示されるＧＵＩ画面３００の例であるディスプレイ画像ウインドウである。ユーザー選好基準は、望ましくは、図１に示された受信／記録装置の不揮発性メモリー１１又は読み出し専用メモリー１２の何れかに格納されて良い。
【００３３】
ユーザーは、先ず、１つ以上のユーザー選好サービス（チャンネル）を選択及び格納することにより選好基準を作成する。ＧＵＩ画面３００は、左側に、１つ以上のユーザー選好サービス（チャンネル）を選択するために用いられる「サービスセレクター」リスト３２０を示す。これは、サービス（チャンネル）をサービスセレクターリスト３２０からマウス又はキーボード選択を介し強調表示し、そして選択３１０を押すことにより実行されて良い。例えば、ユーザーは、これら示されたものから第１のユーザー選好チャンネルとしてサービス８を選択するとする。
【００３４】
ユーザーは次に、ＧＵＩ画面３００の右側部分３４０に示された、現在のＤＶＢ規格に従い１１個のイベント種類を列挙する「イベント種類セレクター」リスト３４０から、少なくとも１つのイベント分類種類を選択する。ＤＶＢ規格の将来の版は、選択のためのより多い、少ない、及び／又は異なるイベント種類を有して良いことが理解されるべきである。イベント種類は、イベント分類を示されたものからマウス又はキーボード選択を介し強調表示し、そして選択３１２を押すことにより選択されて良い。説明的な例では、ユーザーは「余暇」イベント種類３１５を、イベント選択リスト３４０からユーザー選好サービス８として選択するとする。
【００３５】
図４は、図３のＧＵＩ画面３００における「余暇」イベント種類３１５のユーザー選択及び選択３１２の押下に応じ、ユーザーに示されるＧＵＩ画面４００のある実施例の例であるディスプレイ画像ウインドウである。図４のＧＵＩ画面４００に示されたポップアップウインドウ４０５は、ＤＶＢ規格により定められたような「余暇」イベント種類３１５を更に定める種々のイベントサブ分類を有する。特に、８個のサブ分類は、ポップアップウインドウ４０５に示される。このポップアップウインドウ４０５は、ユーザーに、「余暇」イベント種類に関連した１つ以上のユーザー選好イベントサブ分類を選択させる。例として、ユーザーが「ドライブ」サブカテゴリー４１１を選ぶとする。
【００３６】
この時、選択されたイベント種類／サブ分類種類、つまり「余暇／ドライブ」はユーザー選好基準の一部として入力され格納される。
ユーザー選好サービス    イベント分類    イベントサブ分類
８                      余暇            ドライブ
これは、以上の表２の例であるユーザー選好基準表リストに例として示されたような、追加ユーザー選好基準を選択するために繰り返されて良い。
【００３７】
図５は、ある実施例によるサービス及びサービス情報（ＳＩ）に基づき視聴覚情報記録を自動的にスケジューリングする段階に含まれる動作を示すフローチャートである。フローチャートは、以上の図１及び表２、及び以下の表３を参照し例として記載される。
【００３８】
動作５０２で、ユーザーは、ＤＶＢ規格に従い、１つ以上のユーザー選好サービス（チャンネル）及び関連するサービス情報（例えば、ユーザー選好イベント分類及びサブ分類）を有するユーザー選好基準（例えば以上の表２）を作成及び格納する。
【００３９】
動作５０４で、第２のチューナー２２（図１）は、ユーザー選好基準にユーザー選好サービスとしてユーザーにより指定された各サービス（チャンネル）Ｎに順次、合わせられる。この動作は、ＣＰＵ５の制御下で実行される。第２のチューナー２２がｉ番目のサービスに合わせられる時間中、次のイベント情報は、当該サービスの放送ストリームで送信されたＥＩＴ表から抽出される。次のイベント情報は、ｉ番目のサービスで近い将来放送されるべきイベントのイベント分類種類及びサブ種類を指定する。即席の例では、第２のチューナー２２は、順次以下のＮ＝６個のサービス（チャンネル）、つまりサービス（チャンネル）２、５、７、２１、２９及び３０に合わせられ、次のイベント情報をキャプチャーする。
【００４０】
表３は、次のイベント情報を有する例であるＥＩＴ表データを示す。次のイベント情報は、説明を目的として、即席の例で指定されたユーザー選好サービスから抽出されているとする。
［表３］
【００４１】
【表３】
2008523692.tif 000005
【００４２】
動作５０６で、ユーザー選好サービス毎に、各サービスのユーザー選好イベント分類種類及びサブ種類（表２を参照）と、当該サービスの放送ストリーム内のＥＩＴ表から抽出された次のイベント情報（表３を参照）との間の比較が行われ、一致があるかどうかを決定する。例えば、ユーザー選好サービス（チャンネル）２では、格納されたユーザー選好イベント分類種類及びサブ種類は、表２に記載され、以下のように繰り返される。
ユーザー選好サービス    イベント分類種類    イベント分類サブ種類
２                      教育                ―――
サービス（チャンネル）２のユーザー選好基準、つまり「教育」／「―――」は、サービス（チャンネル）２の放送ストリームのＥＩＴ表から抽出された次のイベント情報と比較される。
［表４］
【００４３】
【表４】
2008523692.tif 000006
【００４４】
ユーザー選好基準とイベント３の「種類」、つまり「教育」との間に一致があることが示される。
【００４５】
動作５０８で、全ての一致するイベントは、スケジューラーモジュール１６へ送出され、記録のために待ち行列に入れられる。
【００４６】
動作５１０は決定段階であり、全てのユーザー選好サービスが次のイベント情報をパースされたかどうかを決定する。いいえの場合、処理は動作５０４へ戻る。その他の場合、処理は動作５１２へ続く。
【００４７】
動作５１２は決定段階であり、記録する準備ができているスケジューリング待ち行列内に少なくとも１つのイベントがあるかどうかを決定する。つまり、イベントは、現在時間に実質的に等しい放送時間を有する。
【００４８】
動作５１４で、第２のチューナー２２は、動作５１２で識別された、記録する準備ができている少なくとも１つのイベントを記録し始める。留意すべき点は、第２のチューナー２２が記録時間中、次のイベント情報の放送ストリームをパースするために利用可能でないことである。
【００４９】
動作５１６は決定段階であり、記録が完了したかどうかを決定する。いいえの場合、処理は動作５１４へループバックし、そして記録を続ける。その他の場合、処理は動作５１８へ続く。
【００５０】
動作５１８は、放送ストリームがパースされ、更新されたＥＩＴ表データがユーザー選好サービスのために利用可能であるかどうかを決定する決定動作である。いいえの場合、処理はこのループ内で続く。その他の場合、処理は動作５０４へループバックする。
【００５１】
留意すべき点は、ユーザーは如何なる時間点においてもユーザー選好基準を変更する選択肢を有することである。また、留意すべき点は、ユーザーは如何なる時間点においても本発明の自動記録機能をオフに切り替える（ディスエーブルする）更なる選択肢を有することである。
【００５２】
ある実施例では、（表２に示されるような）ユーザー選考基準は、優先順位をつけられ得る。優先順位付けは、最初のエントリーが最も高い優先度を有し且つ残りのエントリーが降順で優先度を有するように一方向に構成され得る。言い換えると、チャンネルの優先度順序は、それらチャンネルの列挙の順序である。優先順位付けは、従って、如何なる起こり得るスケジューリングの衝突も解決し得る。
【００５３】
本発明は特定の実施例を参照して記載されたが、添付の請求項に説明された本発明の精神及び範囲から逸脱することなく多くの変化が行使されることが理解されるだろう。明細書及び図は従って説明的であると見なされ、添付の請求項の範囲を限定するものではない。
【００５４】
添付の請求項を解釈する際、以下の点が理解されるべきである：ａ）「有する」の表現は、与えられた請求項に列挙された以外の他の構成要素又は動作の存在を排除しない。ｂ）要素に付される単数表記の語は、当該要素の複数の存在を排除しない。ｃ）請求項中の如何なる参照符号も請求項の範囲を限定しない。ｄ）全ての「手段」は、同一の項目又はハードウェア又はソフトウェアで実施された構造又は機能により表されて良い。及びｅ）開示された各要素は、ハードウェア部分（例えば離散電子回路）、ソフトウェア部分（例えばコンピュータープログラミング）、又はこれらの如何なる組み合わせを有して良い。
【図面の簡単な説明】
【００５５】
【図１】ＤＶＢ規格によるイベントの分類情報を提供するコンテンツ記述子を記載する表である。
【図２】本発明による装置の実施例としてデジタルテレビジョン受信機の図を示す。
【図３】本発明の実施例による、ユーザー基準の設定を可能にするためにユーザーに示されるＧＵＩ画面の例であるディスプレイ画像ウインドウである。
【図４】図３のＧＵＩ画面からのイベント種類のユーザー選択に応じ、ユーザーに示されるＧＵＩ画面の例であるディスプレイ画像ウインドウである。
【図５】本発明の実施例によるサービスに基づき視聴覚情報記録を自動的にスケジューリングする段階に含まれる動作を示すフローチャートである。
【図１】
2008523692.tif 000007
【図１Ａ】
2008523692.tif 000008
【図１Ｂ】
2008523692.tif 000009
【図１Ｃ】
2008523692.tif 000010
【図１Ｄ】
2008523692.tif 000011
【図２】
2008523692.tif 000012
【図３】
2008523692.tif 000013
【図４】
2008523692.tif 000014
【図５】
2008523692.tif 000015
【国際調査報告】
2008523692.tif 000016
2008523692.tif 000017
2008523692.tif 000018